(57)【要約】【課題】被写体画像の電子情報を用いて、ユーザを楽しませる娯楽性の高いサービスの提供を可能とする。【解決手段】携帯端末との間で通信可能な写真撮影装置であって、被写体を撮影し、第１の画像データを生成する撮影装置と、携帯端末に保存されている第２の画像データを、携帯端末から受信する通信部と、第１の画像データに含まれるデータにより特定される第１の画像と、第２の画像データに含まれるデータにより特定される第２の画像とを重ねた合成画像を生成する画像処理部と、を備え、前記第１の画像または前記第２の画像のうち少なくともいずれか一方は、背景色部分が透過した透過画像である。【選択図】図１０
2015179892.tif 000002
【特許請求の範囲】
【請求項１】
携帯端末との間で通信可能な写真撮影装置であって、
被写体を撮影し、第１の画像データを生成する撮影装置と、
前記携帯端末に保存されている第２の画像データを、前記携帯端末から受信する通信部と、
前記第１の画像データに含まれるデータにより特定される第１の画像と、前記第２の画像データに含まれるデータにより特定される第２の画像とを重ねた合成画像を生成する画像処理部と、
を備え、
前記第１の画像または前記第２の画像のうち少なくともいずれか一方は、背景色部分が透過した透過画像である写真撮影装置。
【請求項２】
前記画像処理部は、前記合成画像を生成する前に、前記第１の画像データにより特定される撮影画像における背景色部分と被写体部分とを判別して前記撮影画像の背景色部分を透過させた画像を前記第１の画像として生成する
請求項１に記載の写真撮影装置。
【請求項３】
前記第１の画像データ及び前記第２の画像データは、撮影日を示す日付情報を有しており、
前記画像処理部は、前記日付情報を用いて、前記第１の画像と前記第２の画像とを撮影日順に重ねた画像を、前記合成画像として生成する
請求項１または２に記載の写真撮影装置。
【請求項４】
前記通信部は、前記携帯端末から前記第２の画像データを複数受信し、
前記画像処理部は、前記第１の画像と前記複数の第２の画像とを撮影日順に重ねた画像を、前記合成画像として生成する
請求項３に記載の写真撮影装置。
【請求項５】
前記画像処理部は、重ねる順に応じて、前記第１の画像及び前記第２の画像の大きさを変更し、変更後の画像を重ねた画像を、前記合成画像として生成する
請求項１から４のいずれか一項に記載の写真撮影装置。
【請求項６】
前記第１の画像及び前記第２の画像の位置、大きさ及び重ね順のうち少なくとも一つを変更する操作をユーザから受け付ける操作部を更に備え、
前記画像処理部は、前記操作部が受け付けた操作に応じた位置、大きさ及び重ね順で、前記第１の画像及び前記第２の画像を配置した画像を、前記合成画像として生成する
請求項１から５のいずれか一項に記載の写真撮影装置。
【請求項７】
複数のレイアウトから一つのレイアウトを選択する操作をユーザから受け付ける操作部を更に備え、
前記画像処理部は、前記操作部が受け付けた操作により特定されるレイアウトで、前記第１の画像及び前記第２の画像を配置した画像を、前記合成画像として生成する
請求項１から５のいずれか一項に記載の写真撮影装置。
【請求項８】
前記画像処理部は、前記合成画像を生成する前に、前記第２の画像データにより特定される保存画像における背景色部分と被写体部分とを判別して前記保存画像の背景色部分を透過させた画像を前記第２の画像として生成する請求項１から７のいずれか一項に記載の写真撮影装置。
【請求項９】
前記保存画像は、背景色部分が透過した画像である
請求項１から７のいずれか一項に記載の写真撮影装置。
【請求項１０】
前記画像処理部は、前記合成画像を生成する際に、前記第１の画像または前記第２の画像の一方から、服装の画像領域を抽出し、該抽出した服装の画像領域を、前記第１の画像または前記第２の画像のうち前記服装の画像領域が抽出されていない他方の画像と合成する
請求項１から９のいずれか一項に記載の写真撮影装置。
【請求項１１】
前記画像処理部は、前記合成画像を生成する際に、前記第１の画像または前記第２の画像の一方から、髪型の画像領域を抽出し、該抽出した髪型の画像領域を、前記第１の画像または前記第２の画像のうち前記髪型の画像領域が抽出されていない他方の画像と合成する
請求項１から１０のいずれか一項に記載の写真撮影装置。
【請求項１２】
前記保存画像は、人物または動物が撮影された画像である
請求項１から１１のいずれか一項に記載の写真撮影装置。
【請求項１３】
前記通信部は、前記合成画像を含む送信データを前記携帯端末に送信する
請求項１から１２のいずれか一項に記載の写真撮影装置。
【請求項１４】
携帯端末との間で通信可能な写真撮影装置が実行する写真撮影方法であって、
撮影装置が、被写体を撮影し、第１の画像データを生成するステップと、
通信部が、前記携帯端末に保存されている第２の画像データを、前記携帯端末から受信するステップと、
画像処理部が、前記第１の画像データに含まれるデータにより特定される第１の画像と、前記第２の画像データに含まれるデータにより特定される第２の画像とを重ねた合成画像を生成するステップと、
を有し、
前記第１の画像または前記第２の画像のうち少なくともいずれか一方は、背景色部分が透過した透過画像である写真撮影方法。
【請求項１５】
携帯端末と、該携帯端末との間で通信可能な写真撮影装置とを備える写真撮影システムであって、
前記写真撮影装置は、
被写体を撮影し、第１の画像データを生成する撮影装置と、
前記携帯端末に保存されている第２の画像データを、前記携帯端末から受信する通信部と、
前記第１の画像データに含まれるデータにより特定される第１の画像と、前記第２の画像データに含まれるデータにより特定される第２の画像とを重ねた合成画像を生成する画像処理部と、
を備え、
前記第１の画像または前記第２の画像のうち少なくともいずれか一方は、背景色部分が透過した透過画像である写真撮影システム。
【発明の詳細な説明】
【技術分野】
【０００１】
本発明は、写真撮影装置、写真撮影方法及び写真撮影システムに関する。
【背景技術】
【０００２】
従来、人物の写真を自動で撮影するためのボックス型の写真撮影装置が知られている。従来の写真撮影装置は、人物を撮影し、印画物に写真をプリントして出力することができる。
【０００３】
例えば、特許文献１には、センサから顧客の検出情報が入力されると、前回の顧客の撮影が終了してから次回の顧客の入室までの経過時間を算出し、この経過時間に基づいて、撮影からプリント出力までの一連の処理において撮り直しの制限回数などを設定する写真撮影装置が開示されている。
【０００４】
近年、デジタルカメラの発展および普及により、撮影により得られた被写体画像の電子情報が容易に利用可能となっている。ボックス型の写真撮影装置においても、このような被写体画像の電子情報を利用して焼増しプリントするというサービスが提案されている。
【先行技術文献】
【特許文献】
【０００５】
【特許文献１】特開２００５−３０１０３７号公報
【発明の概要】
【発明が解決しようとする課題】
【０００６】
このサービスによれば、過去に写真撮影装置で撮影した画像を印画物に印刷することができるが、それだけでなく、このような被写体画像の電子情報を用いて、ユーザを楽しませる娯楽性の高いサービスを提供したいという課題があった。
【０００７】
本発明は、このような課題を解決し得る写真撮影装置、写真撮影方法及び写真撮影システムを提供することを目的とする。
【課題を解決するための手段】
【０００８】
本発明の一態様による写真撮影装置は、携帯端末との間で通信可能な写真撮影装置であって、被写体を撮影し、第１の画像データを生成する撮影装置と、前記携帯端末に保存されている第２の画像データを、前記携帯端末から受信する通信部と、前記第１の画像データに含まれるデータにより特定される第１の画像と、前記第２の画像データに含まれるデータにより特定される第２の画像とを重ねた合成画像を生成する画像処理部と、を備え、前記第１の画像または前記第２の画像のうち少なくともいずれか一方は、背景色部分が透過した透過画像である。
【０００９】
本発明の一態様による写真撮影装置において、前記画像処理部は、前記合成画像を生成する前に、前記第１の画像データにより特定される撮影画像における背景色部分と被写体部分とを判別して前記撮影画像の背景色部分を透過させた画像を前記第１の画像として生成する。
【００１０】
本発明の一態様による写真撮影装置において、前記第１の画像データ及び前記第２の画像データは、撮影日を示す日付情報を有しており、前記画像処理部は、前記日付情報を用いて、前記第１の画像と前記第２の画像とを撮影日順に重ねた画像を、前記合成画像として生成する。
【００１１】
本発明の一態様による写真撮影装置において、前記通信部は、前記携帯端末から前記第２の画像データを複数受信し、前記画像処理部は、前記第１の画像と前記複数の第２の画像とを撮影日順に重ねた画像を、前記合成画像として生成する。
【００１２】
本発明の一態様による写真撮影装置において、前記画像処理部は、重ねる順に応じて、前記第１の画像及び前記第２の画像の大きさを変更し、変更後の画像を重ねた画像を、前記合成画像として生成する。
【００１３】
本発明の一態様による写真撮影装置において、前記第１の画像及び前記第２の画像の位置、大きさ及び重ね順のうち少なくとも一つを変更する操作をユーザから受け付ける操作部を更に備え、前記画像処理部は、前記操作部が受け付けた操作に応じた位置、大きさ及び重ね順で、前記第１の画像及び前記第２の画像を配置した画像を、前記合成画像として生成する。
【００１４】
本発明の一態様による写真撮影装置において、複数のレイアウトから一つのレイアウトを選択する操作をユーザから受け付ける操作部を更に備え、前記画像処理部は、前記操作部が受け付けた操作により特定されるレイアウトで、前記第１の画像及び前記第２の画像を配置した画像を、前記合成画像として生成する。
【００１５】
本発明の一態様による写真撮影装置において、前記画像処理部は、前記合成画像を生成する前に、前記保存画像における背景色部分と被写体部分とを判別して前記第２の画像の背景色部分を透過させた画像を前記第２の画像として生成する。
【００１６】
本発明の一態様による写真撮影装置において、前記保存画像は、背景色部分が透過した画像である。
【００１７】
本発明の一態様による写真撮影装置において、前記画像処理部は、前記合成画像を生成する際に、前記第１の画像または前記第２の画像の一方から、服装の画像領域を抽出し、該抽出した服装の画像領域を、前記第１の画像または前記第２の画像のうち前記服装の画像領域が抽出されていない他方の画像と合成する。
【００１８】
本発明の一態様による写真撮影装置において、前記画像処理部は、前記合成画像を生成する際に、前記第１の画像または前記第２の画像の一方から、髪型の画像領域を抽出し、該抽出した髪型の画像領域を、前記第１の画像または前記第２の画像のうち前記髪型の画像領域が抽出されていない他方の画像と合成する。
【００１９】
本発明の一態様による写真撮影装置において、前記保存画像は、人物または動物が撮影された画像である。
【００２０】
本発明の一態様による写真撮影装置において、前記通信部は、前記合成画像を含む送信データを前記携帯端末に送信する。
【００２１】
本発明の一態様による写真撮影装置において、前記画像処理部は、前記第１の画像をリサイズしてプリント用画像を生成し、前記プリント用画像を印画物にプリントして出力するプリンタを更に備える。
【００２２】
本発明の一態様による写真撮影方法は、携帯端末との間で通信可能な写真撮影装置が実行する写真撮影方法であって、撮影装置が、被写体を撮影し、第１の画像データを生成するステップと、通信部が、前記携帯端末に保存されている第２の画像データを、前記携帯端末から受信するステップと、画像処理部が、前記第１の画像データに含まれるデータにより特定される第１の画像と、前記第２の画像データに含まれるデータにより特定される第２の画像とを重ねた合成画像を生成するステップと、を有し、前記第１の画像または前記第２の画像のうち少なくともいずれか一方は、背景色部分が透過した透過画像である。
【００２３】
本発明の一態様による写真撮影システムは、携帯端末と、該携帯端末との間で通信可能な写真撮影装置とを備える写真撮影システムであって、前記写真撮影装置は、被写体を撮影し、第１の画像データを生成する撮影装置と、前記携帯端末に保存されている第２の画像データを、前記携帯端末から受信する通信部と、前記第１の画像データに含まれるデータにより特定される第１の画像と、前記第２の画像データに含まれるデータにより特定される第２の画像とを重ねた合成画像を生成する画像処理部と、を備え、前記第１の画像または前記第２の画像のうち少なくともいずれか一方は、背景色部分が透過した透過画像である。
【発明の効果】
【００２４】
本発明によれば、今回撮影した第１の画像と、携帯端末に保存されている第２の画像とが重なった合成画像が得られるため、ユーザには、第１の画像に含まれる被写体と第２の画像の被写体が写った写真のように見える。このため、被写体画像の電子情報を用いて、ユーザを楽しませる娯楽性の高いサービスを提供することができる。
【図面の簡単な説明】
【００２５】
【図１】図１は、本実施形態に係る写真撮影システムの概略構成図である。
【図２】図２は、ユーザが背景を選択する背景選択画面の一例を示す図である。
【図３】図３は、ユーザが画像の並び順を選択する並び順選択画面の一例を示す図である。
【図４】図４は、ユーザが合成画像に含まれる画像の位置及び大きさを調整する位置大きさ調整画面の一例を示す図である。
【図５】図５は、ユーザが引渡方法を選択する引渡方法選択画面の一例を示す図である。
【図６】図６は、本実施形態に係る演算制御装置１０のハードウェア構成を示す概略構成図である。
【図７】図７は、ＣＰＵ１００が画像処理プログラム１０４Ａを実行することで実現される機能ブロック図である。
【図８】図８は、確認用画面に表示される合成画像の第１の例である。
【図９】図９は、確認用画面に表示される合成画像の第２の例である。
【図１０】図１０は、本実施形態に係る写真のプリント及び合成画像データ転送方法を説明するフローチャートである。
【図１１】図１１は、確認用画面に表示される合成画像の第３の例である。
【図１２】図１２は、服装の画像領域または髪型の画像領域を合成した例である。
【発明を実施するための形態】
【００２６】
以下、本発明の実施の形態を図面に基づいて説明する。
【００２７】
まず、はじめに本実施形態に係る写真撮影システム１の構成について説明する。図１は、本実施形態に係る写真撮影システム１の概略構成図である。写真撮影システムは、写真撮影装置１と、写真撮影装置１と通信可能な携帯端末２とを備えている。携帯端末２は、無線ＬＡＮ（Local Area Network）によるデータ通信機能を有しており、例えば、スマートフォン、またはタブレット端末である。
【００２８】
図１に示すように、写真撮影装置１は、被撮影者（以下、ユーザともいう）Ｐの撮影を行う撮影空間を有するボックス型の撮影装置であり、被撮影者Ｐを撮影して被撮影者Ｐの撮影画像を含む第１の画像データを生成する撮影装置１２と、この第１の画像データに対して画像処理を施す演算制御装置１０と、印画物（写真）をプリントするプリンタ１６と、撮影装置１２が被撮影者Ｐを撮影する際に被撮影者Ｐに光を照射するストロボ１８と、携帯端末２２と通信する通信部２０と、を備える。
【００２９】
この写真撮影装置１は、人物画像と背景画像を合成した合成画像を印画物にプリントして出力するものである。そのため、写真撮影装置１における被撮影者Ｐの背中側の壁紙は、後述するクロマキー合成に適した色、例えば青色や黄緑色になっている。
【００３０】
撮影装置１２は、被写体（例えば、被撮影者Ｐ）を撮影し、第１の画像データを生成する。なお、被写体は、人物だけでなく動物であってもよい。撮影装置１２は、例えばデジタルカメラであり、レンズ、シャッタ、ＣＭＯＳセンサ、Ａ／Ｄ変換器等を有する。撮影装置１２が被撮影者Ｐを撮影する場合には、ＣＭＯＳセンサが、レンズにより収束された撮影光を、シャッタを介して受光すると共に、受光面に結像された光学像を光電変換し、画像信号として出力する。そして、Ａ／Ｄ変換器が、ＣＭＯＳセンサから出力された画像信号をＡ／Ｄ変換し、第１の画像データを生成する。撮影装置１２は、第１の画像データを演算制御装置１０へ出力する。
【００３１】
通信部２０は、携帯端末２に保存されている第２の画像データを携帯端末２から無線で受信し、受信した第２の画像データを演算制御装置１０へ出力する。また、通信部２０は、合成画像を含む送信データを携帯端末２に無線で送信する。なお、通信部２０は、有線で携帯端末２と通信してもよい。
【００３２】
また、写真撮影装置１は、被撮影者Ｐから各種指示を受け付けると共に、プレビュー画像や各種情報を表示するタッチパネル（操作部及び表示部）１４を備える。
【００３３】
タッチパネル１４は、操作ボタンを表示し、ユーザにより操作ボタンが押されると、その操作ボタンに対応した操作指示を受け付ける。
【００３４】
プリンタ１６は、演算制御装置１０から受け取ったプリント用画像データに対して、色変換やシャープネス処理を行う。プリント用画像データについては後述する。そして、プリンタ１６は、被撮影者Ｐの撮影画像を用紙に印画して出力する。プリンタ１６のプリント方式は特に限定されず、インクジェット方式、昇華型熱転写方式、溶融型熱転写方式等を用いることができる。
【００３５】
写真撮影装置１には、被撮影者Ｐが印画物または撮影画像データの代金として支払う貨幣を受け入れたり、釣銭を払い出したりする課金部（図示せず）がさらに設けられている。また、写真撮影装置１に、電子マネーでの支払いを受け付ける課金部が設けられていてもよい。
【００３６】
演算制御装置１０は、撮影装置１２、タッチパネル１４、プリンタ１６、ストロボ１８、通信部２０、及び課金部に接続されており、各部の制御やデータの受け渡しを行う。
【００３７】
また、携帯端末２は、タッチパネル２２、写真撮影装置１との間でデータ転送を行うために必要なアプリケーションソフトが保存されている記憶部（図示せず、例えば、フラッシュメモリ）、このアプリケーションソフトを読み出して実行する演算処理部（図示せず）、及び無線で写真撮影装置１と通信する無線通信部（図示せず）等を備える。
【００３８】
（写真撮影システム１の動作概要）
続いて、本実施形態に係る写真撮影システム１の動作概要について説明する。本実施形態に係る写真撮影装置１は、ユーザを撮影して生成した撮影画像をプリント出力したり、撮影画像とこの撮影画像が撮影された撮影日とを含む第１の画像データを生成して、この第１の画像データを携帯端末２へ無線で送信したりする。携帯端末２は、写真撮影装置１から第１の画像データを受信し、受信した第１の画像データを第２の画像データとして保存する。
【００３９】
ここで、第２の画像データは、過去に撮影された過去画像と該過去画像が撮影された過去画像撮影日とを含む。写真撮影装置１は、合成画像を生成し、合成画像を含む送信データを携帯端末２へ送信可能である。なお、合成画像については、後述する。
【００４０】
携帯端末２の無線通信部は、タッチパネル２２が受け付けたユーザの操作に応じて、記憶部に格納されている第２の画像データを写真撮影装置１に送信する。また、携帯端末２は、写真撮影装置１から送信された送信データを受信し、受信した送信データを記憶部に格納する。
【００４１】
（タッチパネル１４がユーザから受け付ける操作の詳細）
続いて、タッチパネル１４がユーザから受け付ける操作の詳細について説明する。例えばタッチパネル１４は、少なくとも１つの背景画像データを表示するとともに、ユーザから背景画像の選択指示を受け付けることができる。
【００４２】
ここで、図２は、ユーザが背景を選択する背景選択画面の一例を示す図である。例えば、図２に示すように、タッチパネル１４の背景選択画面中に、縮小された背景画像が表示された操作ボタンＧ２１、縮小された背景画像が表示された操作ボタンＧ２２、縮小された背景画像が表示された操作ボタンＧ２３、縮小された背景画像が表示された操作ボタンＧ２４が表示される。ユーザは、縮小された背景画像が表示された操作ボタンを押すことで、背景画像を選択することができる。また、ユーザは、遷移キーＫ２１を押すことで後述する図３に示すような並び順選択画面に進むことができる。
【００４３】
また、タッチパネル１４は、画像の位置、大きさ及び重ね順のうち少なくとも一つを変更する操作をユーザから受け付ける。
【００４４】
ここで、図３は、ユーザが画像の並び順を選択する並び順選択画面の一例を示す図である。例えば、図３に示すように、タッチパネル１４の並び順選択画面中に、合成画像Ｇ３１が示されている。
【００４５】
合成画像Ｇ３１は、今回撮影された撮影画像の背景色部分を透過させた透過画像Ｇ３１１、携帯端末２に保存されていた保存画像の背景色部分を透過させた透過画像Ｇ３１２、及び携帯端末２に保存されていた別の保存画像の背景色部分を透過させた透過画像Ｇ３１３が合成された画像である。ここで、透過画像Ｇ３１３は、透過画像Ｇ３１２より撮影日が古い。図３における合成画像Ｇ３１は、一例として、透過画像Ｇ３１１、透過画像Ｇ３１２、透過画像Ｇ３１３の順で重なっており、撮影日が新しいものから順に画像が重なっている。
【００４６】
また、例えば、図３に示すように、タッチパネル１４の並び順選択画面中に、撮影日が新しい画像から順に重ねることを指示する新しい順操作ボタンＢ３１、撮影日が古い画像から順に重ねることを指示する古い順操作ボタンＢ３２、手動による並び順の設定を指示する手動操作ボタンＢ３３が表示される。
【００４７】
例えば、新しい順操作ボタンＢ３１がユーザにより押された場合、写真撮影装置１は、合成画像Ｇ３１を、透過画像Ｇ３１１〜Ｇ３１３が、撮影日が新しい画像から順に重なった画像に切り替える。また例えば、古い順操作ボタンＢ３２がユーザにより押された場合、写真撮影装置１は、合成画像Ｇ３２を、透過画像Ｇ３１１〜Ｇ３１３が、撮影日が古い画像から順に重なった画像に切り替える。また例えば、手動操作ボタンＢ３３がユーザにより押された場合、写真撮影装置１は、合成画像Ｇ３２中の透過画像Ｇ３１１〜Ｇ３１３を、ユーザの操作に応じて重ね順を設定可能にする。このようにして、タッチパネル１４は、ユーザから、画像の並び順、またはユーザが手動で設定した並び順を受け付ける。
【００４８】
また、ユーザは、遷移キーＫ３１を押すことで図２に示すような背景選択画面に戻ることができ、遷移キーＫ３２を押すことで図４に示すような位置大きさ調整画面に進むことができる。
【００４９】
ここで、図４は、ユーザが合成画像に含まれる画像の位置及び大きさを調整する位置大きさ調整画面の一例を示す図である。図４に示すように、タッチパネル１４の位置大きさ調整画面中に、合成画像Ｇ４１、位置調整キーＫ４１、大きさ調整キーＫ４２、遷移キーＫ４３、及び遷移キーＫ４４が表示される。ユーザは、合成画像Ｇ４１に含まれる画像Ｇ４１１、Ｇ４１２，Ｇ４１３のいずれか一つを選択し、位置調節キーＫ４１を押して、選択した画像の位置を調節する。また、ユーザは、大きさ調整キーＫ４２を押して、選択した画像の大きさを調節する。このようにして、タッチパネル１４は、ユーザから、合成画像に含まれる画像の位置及び大きさの指示を受け付ける。
【００５０】
また、ユーザは、遷移キーＫ４３を押すことで図３に示すような並び順選択画面に戻ることができ、遷移キーＫ４４を押すことで図５に示すような引渡方法選択画面に進むことができる。
【００５１】
また、タッチパネル１４は、ユーザから、写真の引渡方法の指示を受け付ける。ここで、写真の引渡方法は、印画物に印刷して渡す方法と、撮影画像とこの撮影画像の撮影日とを含む撮影画像データを携帯端末２へ送信して渡す方法との２種類がある。
【００５２】
ここで、図５は、ユーザが引渡方法を選択する引渡方法選択画面の一例を示す図である。例えば、図５に示すように、タッチパネル１４の引渡方法選択画面中に、印画物に印刷して渡す方法を指示する操作ボタンＧ５１、撮影画像データを携帯端末２へ送信して渡す方法を指示する操作ボタンＧ５２が表示される。ユーザは、選択する引渡方法に対応した操作ボタンを押すことで、写真の引渡方法を選択することができる。また、ユーザは、遷移キーＫ５１を押すことで図４に示すような位置大きさ調整画面に戻ることができ、遷移キーＫ５２を押すことで確認用画像表示画面に進むことができる。ここで、確認用画像表示画面において、過去画像と撮影画像とが合成された合成画像が表示され、ユーザは合成画像を確認することができる。
【００５３】
（演算制御装置１０のハードウェア構成について）
続いて、演算制御装置１０のハードウェア構成について説明する。図６は、本実施形態に係る演算制御装置１０のハードウェア構成を示す概略構成図である。演算制御装置１０は、ＣＰＵ（中央演算処理部）１００、メインメモリ１０２、ディスク装置１０４、及び入出力部１０６を有する。演算制御装置１０の各部はバス１０８を介して接続されている。
【００５４】
ディスク装置１０４は、ＣＰＵ１００により実行される画像処理プログラム１０４Ａ及び人物画像に合成される背景画像のデータベース１０４Ｂを格納する。データベース１０４Ｂには、色や模様の異なる複数の背景画像データが記録されている。
【００５５】
ディスク装置１０４は、例えばハードディスクドライブである。なお、画像処理プログラム１０４Ａは、ディスク装置１０４でなく、ＲＯＭや磁気テープ（共に図示せず）に格納されていてもよい。
【００５６】
ＣＰＵ１００は、ディスク装置１０４内の画像処理プログラム１０４Ａをメインメモリ１０２にロードして、画像処理プログラム１０４Ａを実行する。
【００５７】
画像処理プログラム１０４Ａの実行に伴い、メインメモリ１０２上には、第１の画像データ、第２の画像データ、背景画像データ、及び後述する合成画像データを格納する領域が確保される。
【００５８】
入出力部１０６は、撮影装置１２、タッチパネル１４、プリンタ１６、ストロボ１８、通信部２０、及び課金部と、ＣＰＵ１００との間で、データの受け渡しを行う。
【００５９】
（画像処理プログラム１０４Ａを実行することで実現される機能ブロックについて）
続いて、画像処理プログラム１０４Ａを実行することで実現される機能ブロックについて説明する。図７は、ＣＰＵ１００が画像処理プログラム１０４Ａを実行することで実現される機能ブロック図である。画像処理プログラム１０４Ａの実行により、画像処理部１２０、選択部１２２、送信データ生成部１２４、送信制御部１２６、及び受信制御部１２８が実現される。
【００６０】
選択部１２２は、複数の背景画像データをディスク装置１０４のデータベース１０４Ｂから読み出し、タッチパネル１４へ出力する。また、選択部１２２は、タッチパネル１４を介してユーザから背景画像の選択指示を受け付けると、ユーザにより選択された背景画像のデータを画像処理部１２０に渡す。
【００６１】
受信制御部１２８は、通信部２０を介して、携帯端末２から送信された第２の画像データを受信し、受信した第２の画像データを画像処理部１２０に渡す。
【００６２】
画像処理部１２０は、第１の画像データにより特定される撮影画像における背景色部分と被写体部分とを判別して撮影画像の背景色部分を透過させた画像を第１の画像として生成する。
【００６３】
また、画像処理部１２０は、第１の画像データに含まれるデータにより特定される第１の画像と、第２の画像データに含まれるデータにより特定される第２の画像とを重ねた合成画像を生成する。ここで、第１の画像または第２の画像のうち少なくともいずれか一方は、背景色部分が透過した透過画像である。本実施形態では、その一例として、第１の画像及び第２の画像は両方とも透過画像であるものとして、以下説明する。そして、画像処理部１２０は、生成した合成画像を含む合成画像データを送信データ生成部１２４に渡す。
【００６４】
送信データ生成部１２４は、合成画像を含む送信データを生成し、生成した送信データを送信制御部１２６に渡す。
【００６５】
送信制御部１２６は、送信データ生成部１２４により生成された送信データを、通信部２０を介して携帯端末２へ送信する。
【００６６】
（画像処理部１２０の処理の詳細）
以下、画像処理部１２０の処理の詳細について説明する。画像処理部１２０は、合成画像を生成する前に、クロマキーによる背景抜き処理を用いて、第１の画像データにより特定される撮影画像における背景色部分と被写体部分とを判別して撮影画像の背景色部分を透過させた画像を第１の画像として生成する。具体的には、画像処理部１２０は、第１の画像内の被写体と背景色との色差を判別し、撮影画像の背景色部分を透過させる。ここで判別される色差とは、色相差、彩度差、又は色相差及び彩度差の組み合わせである。また、画像処理部１２０は、背景色部分と被写体部分との判別の際に、タッチパネル１４を介して入力された人物位置情報を利用してもよい。
【００６７】
同様にして、画像処理部１２０は、クロマキーによる背景抜き処理を用いて、第２の画像データにより特定される保存画像における背景色部分と被写体部分とを判別して保存画像の背景色部分を透過させた画像を第２の画像として生成する。そして、画像処理部１２０は、第１の画像と第２の画像とを重ねた画像を、合成画像として生成する。
【００６８】
なお、携帯端末２が、クロマキーによる背景抜き処理を用いて、保存画像における背景色部分と被写体部分とを判別して保存画像の背景色部分を透過させた画像を第２の画像として生成してもよい。その場合、携帯端末２は、生成した第２の画像を含むデータを第２の画像データとして送信し、通信部２０は、その第２の画像データを受信する。その場合、画像処理部１２０は、第２の画像データに対して、背景色部分を透過させる処理を行なわず、第１の画像と第２の画像データにより特定される第２の画像とを重ねた合成画像を生成する。
【００６９】
このように、第２の画像は、第２の画像データにより特定される保存画像の背景色部分が透過した画像の場合と、第２の画像データにより特定される画像そのものの場合とがある。このことから、第２の画像は、第２の画像データに含まれるデータにより特定される画像であるといえる。
【００７０】
本実施形態では、一例として、画像処理部１２０は、第１の透過画像と、第２の透過画像と、選択部１２２から受け取った背景画像とを合成した画像を合成画像として生成する。
【００７１】
ここで、図８は、確認用画面に表示される合成画像の第１の例である。例えば、図８に示すように、タッチパネル１４の確認用画面において、第１の画像Ｇ８１、第２の画像Ｇ８２、第２の画像Ｇ８２より撮影日が古い別の第２の画像Ｇ８３、及び背景画像ＢＧ８１が合成された合成画像が表示される。この図８の例では、第１の画像Ｇ８１が最も下で、その次に第２の画像Ｇ８２を重ね、最後に別の第２の画像Ｇ８３が重ねられており、古くなるに従って順に上に重ねられている。そして、図８の例では、第１の画像Ｇ８１、第２の画像Ｇ８２、別の第２の画像Ｇ８３ともに背景色部分が透過した同一人物の画像であり、過去の自分と現在の自分との集合画像を得ることができる。
【００７２】
なお、図８の例では、全て同一人物の画像であったが、携帯端末２から取得する第２の画像データに含まれる被写体の人物を、今回撮影して得た第１の画像の被写体の人物とは異なる人物にすれば、複数の異なる人物が集合した集合画像を得ることができる。
【００７３】
また、携帯端末２から取得する第２の画像データに含まれる被写体は、動物（例えば、犬または猫）であってもよい。これにより、人物と動物とが一緒に写った画像を得ることができる。
【００７４】
また、被写体は、人物だけでなく動物（例えば、犬または猫）であってもよい。例えば、携帯端末２から取得する第２の画像データに含まれる被写体を動物にすれば、動物の集合画像を得ることができる。
【００７５】
ここで、図９は、確認用画面に表示される合成画像の第２の例である。例えば、図９に示すように、タッチパネル１４の確認用画面において、今回撮影された第１の画像Ｇ９１、第２の画像Ｇ９２、第２の画像Ｇ９２より撮影日が古い別の第２の画像Ｇ９３、及び無地の背景画像ＢＧ９１が合成された合成画像が表示される。この図９の例では、別の第２の画像Ｇ９３が最も下で、その次に第２の画像Ｇ９２を重ね、最後に第１の画像Ｇ９１が重ねられており、撮影日が新しくなるに従って順に上に重ねられている。
【００７６】
このように、第１の画像データ及び第２の画像データは、撮影日を示す日付情報を有しており、画像処理部１２０は、日付情報を用いて、第１の画像と第２の画像とを撮影日順に重ねた画像を、合成画像として生成する。より詳細には、通信部２０は、携帯端末２から第２の画像データを複数受信し、画像処理部１２０は、第１の画像と複数の第２の画像とを撮影日順に重ねた画像を、合成画像として生成する。
【００７７】
また、図３及び図４に示すように、タッチパネル１４は、第１の画像及び第２の画像の位置、大きさ及び重ね順のうち少なくとも一つを変更する操作をユーザから受け付ける。その場合、画像処理部１２０は、タッチパネル１４が受け付けた操作に応じた位置、大きさ及び重ね順で、第１の画像及び第２の画像を配置した画像を、合成画像として生成する。
【００７８】
画像処理部１２０は、撮影装置１２が生成した撮影画像または自ら生成した合成画像をタッチパネル１４でのプレビュー表示に対応したサイズに縮小（リサイズ）して、プレビュー用画像データを生成する。そして、画像処理部１２０は、生成したプレビュー用画像データを画像処理部１２０へ出力する。
【００７９】
また、画像処理部１２０は、生成した合成画像を、プリンタ１６でプリントする写真サイズに対応したサイズに縮小（リサイズ）し、プリント用画像データを生成する。例えば、縦、横の画素を均等に間引くことで画像を縮小することができる。プリント用画像データは、演算制御装置１０の入出力部１０６を介してプリンタ１６へ出力される。
【００８０】
次に、以上のような構成及び機能を有する写真撮影装置１が、合成画像をプリント出力する方法、及び合成画像を含む送信データをユーザの携帯端末２へ送信する方法を、図１０に示すフローチャートを用いて説明する。
【００８１】
図１０は、本実施形態に係る写真のプリント及び合成画像データ転送方法を説明するフローチャートである。
【００８２】
（ステップＳ１０１）まず、ＣＰＵ１００は、通信部２０を介して、携帯端末２が送信した第２の画像データを通信部２０から取得する。
【００８３】
（ステップＳ１０２）次に、ＣＰＵ１００は、通信部２０を介して、携帯端末２が送信した第２の画像データを全部受信したか否か判定する。携帯端末２が送信した第２の画像データを全部受信していない場合（ＮＯ）、ＣＰＵ１００は、ステップＳ１０１の処理を再度実行する。
【００８４】
（ステップＳ１０３）ステップＳ１０２で、携帯端末２が送信した第２の画像データを全部受信したと判定された場合、ＣＰＵ１００は、撮影装置１２に被撮影者Ｐを撮影して第１の画像データを生成する。この撮影は、一回または複数回行われる。
【００８５】
（ステップＳ１０４）次に、ＣＰＵ１００は、ユーザによる承認ボタンの操作が行われたか否か判定する。この承認ボタンは、ユーザが撮影画像を承認した場合に操作されるボタンである。ユーザによる承認ボタンの操作が行われなかった場合（ＮＯ）、ＣＰＵ１００は、ステップＳ１０３の処理に戻って、撮影装置１２に被撮影者を再度撮影させる。
【００８６】
（ステップＳ１０５）ステップＳ１０４で、ユーザによる承認ボタンの操作が行われたと判定された場合、画像処理部１２０は、クロマキーによる背景抜き処理を用いて、第１の画像データにより特定される撮影画像の背景色部分を透過させた第１の画像を生成する。また、画像処理部１２０は、クロマキーによる背景抜き処理を用いて、第２の画像データにより特定される保存画像の背景色部分を透過させた第２の画像を生成する。
【００８７】
（ステップＳ１０６）次に、ＣＰＵ１００は、タッチパネル１４に図２に示すような背景選択画面を表示させる。そして、ＣＰＵ１００は、この背景選択画面において、ユーザが行ったタッチパネル１４の操作に従って、背景画像を含む背景画像データをディスク装置１０４から読み出す。
【００８８】
（ステップＳ１０７）次に、ＣＰＵ１００は、第１の画像と、第２の画像と、取得した背景画像データにより特定される背景画像とを合成した合成画像を生成する。
【００８９】
（ステップＳ１０８）次に、ＣＰＵ１００は、タッチパネル１４に図３に示すような並び順選択画面を表示させる。図３に示すように、この並び順選択画面において、ステップＳ１０７で生成された合成画像Ｇ３１が表示される。そして、画像処理部１２０は、この並び順選択画面において、ユーザが行ったタッチパネル１４の操作に従って、合成画像に含まれる第１の画像と一枚以上の第２の画像の並び順を変更する。
【００９０】
（ステップＳ１０９）次に、ＣＰＵ１００は、タッチパネル１４に図４に示すような位置大きさ調整画面を表示させる。次に、画像処理部１２０は、この位置大きさ調整画面において、ユーザが行ったタッチパネル１４の操作に従って、合成画像に含まれる第１の画像と一枚以上の第２の画像の位置及び／または大きさを調整する。
【００９１】
（ステップＳ１１０）次に、ＣＰＵ１００は、タッチパネル１４に図５に示すような引渡方法選択画面を表示させる。そして、ＣＰＵ１００は、この引渡方法選択画面において、ユーザが行ったタッチパネル１４の操作に従って、引渡方法を取得する。
【００９２】
（ステップＳ１１１）次に、ＣＰＵ１００は、例えば、タッチパネル１４に図８または図９に示すような確認用画面を表示させる。
【００９３】
（ステップＳ１１２）次に、ＣＰＵ１００は、ユーザにより、タッチパネル１４に表示された確認ボタンが操作されたか否か判定する。ユーザにより、タッチパネル１４に表示された確認ボタンが操作されなかった場合（ＮＯ）、ＣＰＵ１００は、ステップＳ１０５の処理に戻る。
【００９４】
（ステップＳ１１３）ステップＳ１１２で、ユーザにより、タッチパネル１４に表示された確認ボタンが操作されたと判定された場合、ＣＰＵ１００は、ユーザに入金を依頼する入金依頼画面をタッチパネル１４に表示する。
【００９５】
（ステップＳ１１４）次に、ＣＰＵ１００は、課金部へ、所定の金額が入金されたか否か判定する。ＣＰＵ１００は、所定の金額が入金されるまで、待機する。
【００９６】
（ステップＳ１１５）ステップＳ１１４で、所定の金額が入金されたと判定された場合、ＣＰＵ１００は、ステップＳ１１０で受け付けた引渡方法に応じて、合成画像の印刷または送信データの送信のいずれかを実行する。
【００９７】
以上、本実施形態に係る写真撮影装置１は、携帯端末との間で通信可能な写真撮影装置１であって、被写体を撮影し、第１の画像データを生成する撮影装置１２を備える。更に、写真撮影装置１は、携帯端末２に保存されている第２の画像データを、前記携帯端末から受信する通信部２０を備える。更に、写真撮影装置１は、第１の画像データに含まれるデータにより特定される第１の画像と、第２の画像データに含まれるデータにより特定される第２の画像とを重ねた合成画像を生成する画像処理部を備え、第１の画像または第２の画像のうち少なくともいずれか一方は、背景色部分が透過した透過画像である。
【００９８】
これにより、今回撮影した第１の画像と、携帯端末に保存されている第２の画像とが重なった合成画像が得られるため、ユーザには、第１の画像に含まれる被写体と第２の画像の被写体が写った写真のように見える。このため、被写体画像の電子情報を用いて、ユーザを楽しませる娯楽性の高いサービスを提供することができる。
【００９９】
なお、画像処理部１２０は、重ねる順に応じて、第１の画像及び第２の画像の大きさを変更し、変更後の画像を重ねた画像を、合成画像として生成してもよい。具体的には例えば、画像処理部１２０は、下になる画像ほど、画像の大きさを小さくなるようにしてもよい。これにより、下になる画像に含まれる被写体が小さくなってこの被写体が遠くに位置しているように見えるので、合成画像に遠近感を出すことができる。
【０１００】
なお、タッチパネル１４は、複数のレイアウトから一つのレイアウトを選択する操作をユーザから受け付けてもよい。その場合、画像処理部１２０は、タッチパネル１４が受け付けた操作により特定されるレイアウトで、第１の画像及び第２の画像を配置した画像を、合成画像として生成してもよい。
【０１０１】
なお、本実施形態では、画像処理部１２０は、第１の画像と第２の画像とを重ねた合成画像を生成したが、これに限らず、図１１に示すように、第１の画像と第２の画像とを重ねずに配置した合成画像を生成してもよい。
【０１０２】
図１１は、確認用画面に表示される合成画像の第３の例である。画像処理部１２０が画像を重ねずに配置した合成画像を生成した場合、例えば、図１１に示すように、タッチパネル１４の確認用画面において、第１の画像Ｇ１１１、第２の画像Ｇ１１２、第２の画像Ｇ１１２よりも撮影日が古い別の第２の画像Ｇ１１３、及び背景画像ＢＧ１１１が合成された合成画像が表示される。
【０１０３】
なお、画像処理部１２０は、例えば合成画像を生成する際に、図１２に示すように、第１の画像または第２の画像の一方から、服装の画像領域を抽出し、該抽出した服装の画像領域を、第１の画像または第２の画像のうち服装の画像領域が抽出されていない他方の画像と合成してもよい。
【０１０４】
また、画像処理部１２０は、例えば合成画像を生成する際に、図１２に示すように、第１の画像または第２の画像の一方から、髪型の画像領域を抽出し、該抽出した髪型の画像領域を、第１の画像または第２の画像のうち髪型の画像領域が抽出されていない他方の画像と合成してもよい。
【０１０５】
図１２は、服装の画像領域または髪型の画像領域を合成した例である。図１２には、過去に撮影された過去画像Ｇ１２１と撮影画像Ｇ１２２とが合成された合成画像Ｈ１が示されている。撮影画像Ｇ１２２から、服装の画像領域を抽出し、該抽出した服装の画像領域を過去画像Ｇ１２１と合成した画像が、服装合成画像Ｇ１２３である。撮影画像Ｇ１２４は、撮影画像Ｇ１２２と同じである。合成画像Ｈ２は、服装合成画像Ｇ１２３と撮影画像Ｇ１２４が合成された画像である。
【０１０６】
過去画像Ｇ１２１から、髪型の画像領域を抽出し、該抽出した髪型の画像領域を撮影画像Ｇ１２２と合成した画像が、髪型合成画像Ｇ１２６である。過去画像Ｇ１２５は、過去画像Ｇ１２１と同じである。合成画像Ｈ３は、過去画像Ｇ１２５と髪型合成画像Ｇ１２６が合成された画像である。
【０１０７】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【０１０８】
１  写真撮影装置
２  携帯端末
１０  演算制御装置
１２  撮影装置
１４  タッチパネル
１６  プリンタ
１８  ストロボ
２０  通信部
１００  ＣＰＵ
１０２  メインメモリ
１０４  ディスク装置
１０６  入出力部
１２０  画像処理部
１２２  選択部
１２４  送信データ生成部
１２６  送信制御部
１２８  受信制御部
【図１】
2015179892.tif 000003
【図２】
2015179892.tif 000004
【図３】
2015179892.tif 000005
【図４】
2015179892.tif 000006
【図５】
2015179892.tif 000007
【図６】
2015179892.tif 000008
【図７】
2015179892.tif 000009
【図８】
2015179892.tif 000010
【図９】
2015179892.tif 000011
【図１０】
2015179892.tif 000012
【図１１】
2015179892.tif 000013
【図１２】
2015179892.tif 000014